(57)【要約】  【課題】  流水式で製氷した氷の表面は水分を含んでおり、氷点温度以下で保存しようとすると氷同士が連結してしまうという課題があった。  【解決手段】  氷点温度以下に冷却した製氷部材に繰り返し流水することにより氷を生成する製氷手段を備えた流水式製氷装置であって、流水停止直後、生成した氷の表面に付着した水分を氷結させる氷表面氷結手段を含むことを特徴とする流水式製氷装置。氷表面氷結は、氷の表面に氷点温度以下の冷気を直接吹き当てるか、或いは製氷部材による裏面からの冷却によって行う。【選択図】    図６
2007057208.tif 000002
【特許請求の範囲】
【請求項１】
氷点温度以下に冷却した製氷部材に繰り返し流水することにより氷を生成する製氷手段を備えた製氷装置であって、流水停止後、生成した氷の表面に付着した水分を氷結させる氷表面氷結手段を設けたことを特徴とする製氷装置。
【請求項２】
流水停止後、所定時間、前記製氷部材の冷却を継続させることによって、生成した氷表面に付着した水分を氷結させる前記氷表面氷結手段を設けたことを特徴とする、請求項１に記載の製氷装置。
【請求項３】
流水停止後、氷点温度以下の冷気を生成した氷の表面に吹き付けることによって生成した氷表面に付着した水分を氷結させる前記氷表面氷結手段を設けたことを特徴とする、請求項１または２に記載の製氷装置。
【請求項４】
生成された氷を前記製氷部材から離氷する際に、氷を融解させることなく離氷を行う離氷手段を設けたことを特徴とする、請求項１から３までの何れかに記載の製氷装置。
【請求項５】
請求項１から４までの何れか1項に記載の製氷装置を備えたことを特徴とする冷蔵庫。
【発明の詳細な説明】
【技術分野】
【０００１】
本発明は、流水式の製氷装置ならびに流水式の製氷装置を備えた冷蔵庫に関する。
【背景技術】
【０００２】
氷を製造する方法として、特許文献１に示す家庭用冷蔵庫の冷凍室に水を溜めた水皿を静置して製氷する所謂水皿式と呼ばれる製氷方法、或いは特許文献２，３に示す氷点温度以下に冷却した製氷板に水を散水もしくは散布し、製氷板の表面に氷を累積的に成長させる所謂逆セル式もしくは流水式と呼ばれる製氷方法などが知られている。
【０００３】
これらの方法の中で、所謂逆セル式もしくは流水式と呼ばれる製氷方法は、一回あたりの製氷時間が通常２０分から３０分と短いことに加え、バッチ処理的に製氷の連続運転が可能なため、業務用製氷装置として広く普及している。なお、この方法により製氷した氷は、内部に気泡や不純物が残りにくく、透明で純粋な氷が出来るといった利点も備えている。
【０００４】
図９は、上記のうち所謂流水式と呼ばれる方式の業務用製氷装置の概略構成を示すものである。本図を参照して従来技術の概要を説明する。従来の製氷装置の主な構成部品として、製氷部６０、貯氷部６１、冷凍サイクル部６２、操作部６３、前面ドア６４、そして筺体６５などが挙げられる。
【０００５】
製氷部６０にて製氷した氷６６は、離氷した後、貯氷部６１に貯えるようになっている。運転モードの操作は操作部６３で行う。また、生成した氷は、前面ドア64を開閉して取り出す。
【０００６】
冷凍サイクル部６２は、圧縮機６７、凝縮機６８、図示しない製氷用キャピラリーチューブ、製氷用蒸発器６９などから構成されている。圧縮機６７で圧縮され高温高圧となったガス状の冷媒は、凝縮器６８で放熱しながら液化し、冷媒液となる。この冷媒液は、図示しない製氷用キャピラリーチューブを経て減圧されたのち、製氷用蒸発器６９で製氷板７０から熱を奪いながら気化していく。その結果、製氷板７０は、この吸熱作用により氷点下に冷却される。
【０００７】
氷結される水は、一旦水受け皿７１に蓄えられた後、循環ポンプ７２により汲み上げられて、散水器７３から製氷板７０の表面に向けて散水される。このとき散水された水の一部は、氷点下に冷却されて製氷板７０の表面に氷結する。
【０００８】
氷結しなかった水は、そのまま下流に流れ、水受け皿７１に回収されて再び循環ポンプ７２で汲み上げられる。つまり、製氷に用いられる水は、この流水を繰り返し行うようになっている。この流水サイクルを繰り返しながら、氷は、次第に厚く成長していく。
【０００９】
このようにして生成した氷は、水に溶存している気体が内部に残りにくいので透明で美しく、また、氷内部に不純物を取り込みにくいという優れた特徴を有している。
【００１０】
所望の氷厚に達したところで前記の循環ポンプ７２の運転を停止し、上記の水の循環を終了し、氷の生成工程を終える。
【００１１】
次に、生成した氷を製氷板７０から取り外す離氷工程について説明する。上述した所謂水皿式と呼ばれる製氷方法の場合、製氷後に水皿を反転させながら水皿にねじり作用を与えて、若干水皿の形状を歪ませることによる離氷方法が一般的に用いられている。
【００１２】
しかしながら、所謂逆セル式もしくは流水式と呼ばれる製氷装置の場合、蒸発器で発生した冷熱を製氷板に直接伝導して冷却する方式のために、製氷板と蒸発器は一体部材で成り立っているか、接合させて複雑な形状を構成していることが一般的である。そのために、このような複雑な構造を有している部材を上記の水皿式のようにねじって氷を取り外すということは、実際のところ困難であった。
【００１３】
そのため、従来から特許文献４に示したような所謂ホットガス法と呼ばれる離氷方法が広く用いられてきた。これは、氷を生成した後に、圧縮機から送り出された高温高圧のガス冷媒を一時的に直接蒸発器に送り込むように冷媒の流路を一時的に切り替え、製氷板の温度を上昇させて生成した氷の製氷板界面部分を融解させて離氷し、下部に設けた貯氷部に氷を回収する方法である。このようにすると、ねじったりせずに、氷を離氷・回収することができる。
【００１４】
ところで、上記の所謂逆セル式もしくは流水式と呼ばれる製氷方法により得られる氷の表面は、水分で覆われている。なぜなら、流水を停止した直後に氷表面に流れていた水のすべてが氷結できるわけではないからである。
【００１５】
このように、表面が水分で覆われた氷は、氷点温度以下で保存することが出来ないという課題を含んでいる。なぜなら、表面に水分が付着した氷を氷点温度以下にすると、表面の水分が氷結する際に、隣り合った氷同士が連結して、実用には耐えないかあるいは実用上不便な大きな氷の塊となってしまうからである。
【００１６】
そのため、従来の上記方式の製氷装置では、離氷した氷を氷点温度以下にはせずに、壁面部を断熱処理した保冷庫内に氷を保存する方法が用いられてきた。すなわち、氷自身が持つ潜熱をなるべく逃がさないようにする消極的な方法によって氷は保存されてきている。
【００１７】
【特許文献１】実開昭５８−８５１６９号公報
【特許文献２】実公平５−８４２８号公報
【特許文献３】特開昭６０−８２７６５号公報
【特許文献４】実開昭６０−２８３７１号公報
【発明の開示】
【発明が解決しようとする課題】
【００１８】
しかしながら、上記の方法は氷の保存温度を氷点温度より高くせざるを得ないために、氷は徐々に溶けてしまうという問題があった。特に、上記の方式の製氷装置を家庭用の冷蔵庫に内蔵した場合は、業務用途の場合に比べて、氷の消費量が少なく、特に冬場などではこの問題が顕著になることがあった。  また、水分が付着した氷の表面は雑菌が発生しやすい、といった衛生上の問題を含んでいることも近年、明らかになってきており、問題となっていた。
【００１９】
そこで本発明は上記の課題を解決するために、生成した氷を氷点温度以下で保存できるように、流水式の製氷装置であっても表面に水分が付着していない氷を得ることを目的とするものである。
【課題を解決するための手段】
【００２０】
上記の課題を解決するため、本発明の製氷装置は、氷点温度以下に冷却した製氷部材に繰り返し流水することにより氷を生成する製氷手段を備えた製氷装置であって、流水停止後、生成した氷の表面に付着した水分を氷結させる氷表面氷結手段を設けるようにした。この発明によれば、流水式で生成する氷であっても、表面が水分で覆われていない氷を得ることが出来るようになる。これにより、流水式で生成した氷であっても、製氷後に氷点温度以下で保存しても氷同士が連結したりする問題が起こらなくなった。また、氷点温度以下で保存することが出来るようになったために、氷の表面にカビが発生したりする衛生上の問題を抑制することが出来るようになった。
【００２１】
また、上記の氷表面氷結手段は、流水停止後、所定時間、製氷部材の冷却を継続させることによって、生成した氷表面に付着した水分を氷結させるものであっても良い。このようにすれば、特別な構造をとらなくても、製氷部材の冷却時間を制御するだけで目的を達成することが可能となる。
【００２２】
また、上記の氷表面氷結手段は、流水停止後、氷点温度以下の冷気を生成した氷の表面に吹き付けることによって生成した氷表面に付着した水分を氷結させるものであってもよい。このようにすれば、急速、かつ、確実に氷の表面を氷結することができるようになる。
【００２３】
また、生成した氷を前記製氷部材から離氷する際に、氷を融解させることなく離氷を行う離氷手段を設けるようにしてもよい。このようにすれば、氷表面への水分付着を完全に防止することができる。
また、本発明の冷蔵庫は、上記製氷装置を備えたことを特徴とするものである。
【発明の効果】
【００２４】
以上のように、本発明によれば、流水式の製氷装置において、離氷後に表面が水分で覆われていない氷を得ることができるために、離氷した氷を、氷同士が連結したり、カビが発生したりすることなく保存できるようになった。
【発明を実施するための最良の形態】
【００２５】
以下、本発明に係る製氷装置の実施形態について説明する。本実施形態は、本発明の製氷装置を家庭用の冷凍冷蔵庫に内蔵したものである。図１から図５を用いて本実施形態について説明する。
【００２６】
なお、図１は本発明の製氷装置を内蔵した冷凍冷蔵庫の概略図、図２は本発明の製氷装置を内蔵した冷凍冷蔵庫の冷媒回路図、図３は本発明の製氷装置の主要部正面図、図４は本発明の製氷装置の可動部材付近の拡大図であり、（ａ）は正面図、（ｂ）は断面図、図５は本発明の製氷装置の主要部側面図を、それぞれ示している。
【００２７】
まず、本実施形態の全体構成を図1を用いて説明する。本実施の形態は、冷凍冷蔵庫２０に本発明の製氷装置１０を内蔵したものである。冷蔵庫の構成は、冷蔵室３１、冷凍室３２、野菜室３３を備える所謂３ドア式と呼ばれるものである。なおこれは一実施形態であり、２ドア式や４ドア式の冷凍冷蔵庫であっても当然内蔵可能である。次に、各部について説明する。
【００２８】
冷蔵室３１は、ヒンジによって開閉する冷蔵室扉２１、庫内を照らすライト３５、図示しない棚、製氷部１０、そして給水タンク２４等を備えている。
【００２９】
製氷部１０は、少なくとも、製氷用蒸発器１、循環ポンプ１２、循環経路４、散水器９、製氷板２、そして水受け皿５を備えている。この製氷部１０は所謂流下式と呼ばれる製氷方式であり、氷点以下に冷却した製氷板２の表面に水を繰り返し流水しながら氷を層状に成長させるものである。
【００３０】
製氷に用いる水は、給水タンク２４から水受け皿５に導かれ、循環ポンプ１２により散水器９まで汲み上げられて、散水器９から製氷板２に向けて散水される。製氷板２は氷点下に冷却されているので、散水された水の一部は製氷板２の表面に氷結する。結水しなかった水は、水受け皿５まで流水し、回収されたあと、再び循環ポンプ１２によって汲み上げられ、上記の流水を繰り返す。
この流水〜氷結のプロセスを一定時間持続させると、所定の厚みを有する氷を得ることが出来る。
【００３１】
なお、従来の冷蔵庫は氷点下の冷気によって氷結させるため、製氷用水皿は冷凍室に設ける必要があった。しかしながら、本製氷装置は、水を製氷板２により直接冷却するので、その必要はない。むしろ水循環系の凍結を防止するために、氷点温度以下の環境にしない方が良い。
【００３２】
冷凍室３２は、食材の出し入れを行う引き出し式の冷凍室扉２２、氷を保存する貯氷部２６、図示しない複数の製氷棚などにより構成される。貯氷部２６は、製氷部１０で製氷した氷６を収納するようになっている。
【００３３】
野菜室３３は、野菜を保存するのに適するように５℃程度に制御される。また、引き出し式の野菜室扉23、図示しない棚等を備えている。
【００３４】
冷凍サイクルを構成する主要部品のうち、圧縮機１９と凝縮器４０は冷蔵庫本体２０の底部に、主蒸発器１８は冷凍室３２内に、製氷用蒸発器１は冷蔵室３１内に、それぞれ設けられている。これらにより構成される冷凍サイクルの動作原理については、図２を用いて説明する。
【００３５】
図２は、本冷蔵庫の冷凍サイクル構成を示した冷媒回路図である。圧縮機１９で圧縮され高温高圧となった冷媒（例えばフロン、イソブタン）は、凝縮機４０を経ることにより放熱しながら凝縮・液化して三方弁４３に至る。
三方弁４３において冷媒流路は分岐し、一方は主キャピラリーチューブ４２に向かい、他方は製氷キャピラリーチューブ４４に向かう。
製氷用キャピラリーチューブ４４を経た冷媒は、減圧して低温・低圧の冷媒液となり、製氷用蒸発器１へ流入して製氷板の熱を奪い蒸発・ガス化する。この吸熱作用により製氷板２は、氷点温度以下に冷却される。
【００３６】
一方、主キャプラリーチューブ４２を経た冷媒は、減圧して低温・低圧の冷媒液となった後、冷蔵庫本体冷却用の主蒸発器１８へと流れる。三方弁４３は，製氷時は上記の製氷用キャピラリーチューブ４４に流れるように三方弁４３を切り替え、通常運転時は冷媒液が主キャピラリーチューブ４２のみへ流れるように三方弁４３が切り替えられる。なお、製氷時であっても、両方のキャプラリーチューブに冷媒が流れるようにしてもよい。
【００３７】
次に、図１を参照しながら、冷蔵庫内の冷気の流れについて説明する。主蒸発器１８によって冷却された冷気は送風機３０によって冷凍室３２内に送出され庫内を冷却する。このとき冷凍室３２と冷蔵室３１の間に設けたダンパー２８を通じて一部の冷気は冷蔵室31にも送り込まれる。ダンパー２８の開度は、冷蔵室の目標温度に近づくように制御される。
【００３８】
次に、本発明の製氷部１０の構成について図３を用いて説明する。図３は、本実施形態に係る製氷装置の正面図である。図２で示した製氷用キャピラリーチューブ４４を通過し低温・低圧となった冷媒液は製氷用蒸発器１に流れ込み、製氷用蒸発器１に固着した製氷板２から熱を奪いながら気化する。この気化による吸熱反応により、製氷板２はマイナス18℃〜３０℃にまで冷却される。
【００３９】
製氷用蒸発器１には、複数の独立した島状の製氷板２が固着されている。これらの製氷板２は、熱伝導性の優れた材料で構成することが望ましい。また、これらの製氷板２と製氷板２間の隙間領域は熱伝導性の低い材料で氷分離部３ｂが構成されている。すなわち、複数の製氷板２と複数の開口部を有する氷分離部３ｂとを合わせると、ひとつの平面が形成される。散水器９により散水された水は、この平面上を流水することになる。
【００４０】
製氷板２は熱伝導性が高いので製氷用蒸発器１で発生した冷熱を効率よく伝達することができる。このため製氷用蒸発器１で発生した冷熱を効率よく水に伝達することが出来る。その結果、この領域には氷が生成する。一方、氷分離部３ｂは逆に熱伝達率の低い材料で構成されているために、この領域には氷は生成しない。従って、氷は製氷板２の領域のみに、ブロック状に生成することになる。
【００４１】
なお、この製氷板２は、本実施形態のように島状に分離したものでなくてもよい。すなわち、製氷板２の熱伝達率をある程度低く抑え、製氷用蒸発器１に近い領域のみに氷を生成するようにしてもよい。このようにすると、製氷板の構造を単純化出来る。
【００４２】
氷分離部３ｂには、縦方向に立設リブ３ａが設けられている。これは隣り合った島状の製氷板２の表面にそれぞれ生成する氷同士が連結しないように仕切りの役割を果たすものである。この部分は生成する氷の高さ程度の高さが必要である。この部分の材質も熱伝導率が低いことが望ましい。
【００４３】
製氷板２には、開口部１３が設けられており、この開口部１３を貫通するように可動部材８が設けられている。この可動部材８は、図示していない駆動部により、製氷板２の表面に対して垂直な方向に双方向に可動できるようになっている。
【００４４】
図４は、図３で示した製氷板２の開口部付近の拡大図（ａ）、ならびにそのａ−ａ方向縦断面図（ｂ）を示したものである。図中の８ｂは、製氷板２と可動部材８との隙間を埋めるシール材である。材質としてはシリコンなどを用いることが望ましい。
【００４５】
図５は、本実施形態に係る製氷装置の側面図を示している。水は、図示していない給水タンクから、一旦水受け皿５に供給される。この水受け皿５に供給された水は、循環ポンプ１２によって散水器９まで汲み上げられ、製氷板２の表面に向けて散水される。散水された水は、製氷板の表面を流れながら下方へ流水するようになっている。このとき、製氷板２は氷点温度以下に冷却されているため、散水された水の一部は氷点温度以下に冷却されて製氷板２の表面に氷結していく。氷結しなかった水は、製氷板２の下に設けた水受け皿５に回収される。７は、可動部材８の押出し駆動部である。
【００４６】
次に、本発明の製氷工程について、図６を参照しながら説明する。図６は、本発明の製氷装置の製氷フロー図である。
【００４７】
ステップＳ１０では、図２で示した製氷用のキャピラリーチューブ４４内に冷媒が流れるように、電磁三方弁４３が切り替えられる。この切り替えにより、製氷用蒸発器１に冷媒が流れ込み、製氷板２が冷却される。
【００４８】
次のステップＳ１１では、図５で示した循環経路４の循環ポンプ１２の運転が開始される。これにより、水の循環が開始し、散水器９からは水の流水が始まる。
【００４９】
ステップＳ１２では、水の一部が冷却されて氷が層状に堆積して、製氷が行われる。これは流水された水の一部が、氷点下に冷却された製氷板２の表面をつたって落下している間に一部の水が０度以下に冷却されて製氷板２の表面に氷結することによる。氷結しなかった水は、そのまま下方へ流水して図５で示した水受け皿５に回収される。
【００５０】
ステップＳ１３では、製氷が完了したか否かの判断が行われる。この判断は、製氷時間を計測する方法、循環水の減少量から判断する方法、或いは、光学センサーによって直接氷厚を計測する方法、などによって行われる。まだ製氷が完了していないと判断した場合は、シーケンスはステップＳ１２に戻る。一方、製氷が完了したと判断した場合は、次のステップＳ１４に進む。
【００５１】
ステップＳ１４では、循環ポンプ１２の運転を停止させて流水を停止させる。このときの氷の表面は、当然に水で覆われている。
【００５２】
ステップＳ１５は、表面氷結工程である。この工程は、氷の表面を完全に氷結させることを目的としている。具体的手段としては、本実施形態では、流水を停止させたのち、所定時間の間、製氷板からの冷却を継続させて、氷の表面を覆っている水分を氷結させる方法を取っている。
【００５３】
このときのフローは図７に示した通りである。図７は、本発明の製氷装置の表面氷結フロー図である。ステップＳ１５０は、カウンターＴを初期化するステップであり、ステップＳ151は、カウンターＴを積算するステップである。ステップＳ１５２は、設定時間Ｎに達したか否かを判断するステップで、まだ設定時間Ｎに達していなければステップＳ１５１に戻る。一方、設定時間Ｎに達していれば、本ルーチンを終了し、製氷板の冷却を終了させて、図４に示したステップＳ１６に移行する。
【００５４】
なお、ステップＳ１５２で設定する時間であるが、通常流水を停止したあと、冷却を継続していた場合、氷の表面が氷結するために必要な時間は、おおよそ、６０秒程度である。そこで、この時間は、諸条件の変化に対する余裕をみると２分程度とすることが望ましい。
【００５５】
また、別方法として、流水停止後、氷の表面側から直接氷点温度以下に冷却した冷気を氷に吹き付けて冷却するものであってもよい。この場合は、冷凍室に設けた主蒸発器によって発生した冷熱を熱交換器とファンによって冷気として取り出し、ダクトなどにより、製氷板２の表面に吹き付けるようにしてもよい。また、表面から冷気を吹きつける手段と、製氷板２からの冷却を継続させる手段とを併用すると一層確実に水分を氷結することができるので、そのように構成してもよい。
【００５６】
ステップＳ１６は、離氷工程である。離氷は、氷を融解させない方法で行うことが望ましい。本実施形態の場合の離氷動作を図８に従って説明する。図８は、本発明の実施形態の製氷装置の断面側面図であり、（ａ）は離氷を行う前の状態を、（ｂ）は離氷を行っている状態を、それぞれ示したものである。
【００５７】
離氷は、押出し駆動部７が紙面上では反時計回りに回転することによって行う。この回転によって押出し駆動部７とかみ合った可動部材８は紙面の右方向に移動し、氷６を突き押すように作用する。この可動部材８の作用により氷６は製氷板2から剥離させられるのである。
【００５８】
また、可動部材８は、一度製氷板２から突出するように移動した後に、今度は逆に製氷板２よりも凹むようにしてもよい。このようにすれば、可動部材８と氷６が固着したままであったとしても、可動部材８が製氷板２よりも凹むように移動することで氷６を可動部材８から剥離させることが出来る。
また、上述した動作を複数回繰り返すことも剥離を行うためには効果的である。
【００５９】
なお、製氷板２の表面は、フッ素など撥水性の高い材料で表面をコーティングしておくと氷を離氷する際の剥離力を低減させる事が出来るので、押出し駆動部７のトルクを小さくすることができる。
【００６０】
なお、可動部材８は、本実施形態に示したような構造でなく断面円形形状であってもよいし、１つの氷に対して複数の可動部材を設けるものであってもよい。
また可動部材８を駆動させる方法も一例示に過ぎず、本実施形態に記載した構造でなくても本実施形態のように可動部材８を駆動できる方法であれば別方法であってもかまわない。
【００６１】
以上、説明してきた通り、図６のフローによって、表面が水分で覆われていない氷を得ることができるようになる。
【００６２】
生成した氷は、図１に示した氷排出口１４を通じて、氷点温度以下に制御されている、冷凍室３２内に設けた貯氷部２６に格納される。
【００６３】
このようにして生成した氷は、内部にガス成分や不純物が残存しにくく、白濁や不純物が少ない透明な氷を得ることが出来る。また、一回の製氷に要する時間は、２０分から３０分程度と従来の水皿式の製氷方法に比べて短時間で可能である。
【００６４】
以上説明してきたように、本実施形態によれば、流水式の製氷装置であっても表面に水分が付着していない氷を生成することが出来るようになったため、生成した氷を氷点温度以下で保存できるようになった。そのため、氷の融解やカビの発生といった問題を解決することが出来るようになった。
【図面の簡単な説明】
【００６５】
【図１】本発明の製氷装置を内蔵した冷凍冷蔵庫の概略図である。
【図２】本発明の製氷装置を内蔵した冷凍冷蔵庫の冷媒回路図である。
【図３】本発明の実施形態の製氷装置の主要部正面図である。
【図４】本発明の実施形態の製氷装置の可動部材付近の拡大図であり、（ａ）は、正面図を、（ｂ）は（ａ）のａ−ａ断面図を、それぞれ示したものである。
【図５】本発明の実施形態の製氷装置の主要部側面図である。
【図６】本発明の製氷装置の製氷フロー図である。
【図７】本発明の製氷装置の表面氷結フロー図である。
【図８】本発明の実施形態の製氷装置の断面側面図であり、（ａ）は離氷を行う前の状態を、（ｂ）は離氷を行っている状態、をそれぞれ示したものである。
【図９】従来の流水式製氷装置の概略図である。
【符号の説明】
【００６６】
１    製氷用蒸発器
２    製氷板
３ａ  立設リブ
３ｂ  氷分離部
４    製氷水循環経路
６    氷
７    押出し駆動部
８    可動部材
１０    製氷部
１２    循環ポンプ
１８    主蒸発器
１９    圧縮機
２０    冷凍冷蔵庫
【図１】
2007057208.tif 000003
【図２】
2007057208.tif 000004
【図３】
2007057208.tif 000005
【図４】
2007057208.tif 000006
【図５】
2007057208.tif 000007
【図６】
2007057208.tif 000008
【図７】
2007057208.tif 000009
【図８】
2007057208.tif 000010
【図９】
2007057208.tif 000011